(57)【要約】【課題】タープの布部材を簡便に且つ迅速に開いた状態にしたり閉じた状態にしたりすることができるようにする。【解決手段】一対の支柱４Ａ，４Ｃと、当該一対の支柱４Ａ，４Ｃの間に軸回転可能に架設される軸部材２と、当該軸部材２を跨いで配置される他の一対の支柱４Ｂ，４Ｄと、軸部材２に取り付けられると共に他の一対の支柱４Ｂ，４Ｄに向かって張られる部分が布部材支持紐部材７を介して他の一対の支柱４Ｂ，４Ｄに支持される布部材１Ａ，１Ｂとを備え、軸部材２が軸回転することによって布部材１Ａ，１Ｂが軸部材２に巻き付けられたり軸部材２から送り出されたりするようにした。【選択図】図１
2015224452.tif 000002
【特許請求の範囲】
【請求項１】
一対の支柱と、当該一対の支柱の間に軸回転可能に架設される軸部材と、当該軸部材を跨いで配置される他の一対の支柱と、前記軸部材に取り付けられると共に前記他の一対の支柱に向かって張られる部分が布部材支持紐部材を介して前記他の一対の支柱に支持される布部材とを備え、前記軸部材が軸回転することによって前記布部材が前記軸部材に巻き付けられたり前記軸部材から送り出されたりすることを特徴とする巻き取り式タープ。
【請求項２】
前記軸部材の軸回転と連動する紐部材巻取機構と、前記布部材支持紐部材が巻き掛けられる動滑車と、一端が前記紐部材巻取機構に巻き付き可能に取り付けられると共に他端が前記動滑車に取り付けられる動滑車支持紐部材とを更に備え、前記軸部材が軸回転することによって前記布部材が前記軸部材に巻き付けられるときに、前記軸部材の軸回転と連動して前記紐部材巻取機構から前記動滑車支持紐部材が送り出され、前記布部材を支持する前記布部材支持紐部材の端部が前記布部材の巻き付きに伴って前記軸部材に引き寄せられることに合わせて前記動滑車が移動して前記布部材支持紐部材が前記動滑車に巻き掛けられる位置が移動し、また、前記軸部材が軸回転することによって前記布部材が前記軸部材から送り出されるときに、前記軸部材の軸回転と連動して前記紐部材巻取機構に前記動滑車支持紐部材が巻き付けられ、前記布部材を支持する前記布部材支持紐部材の端部が前記布部材の送り出しに伴って前記軸部材から離れることに合わせて前記動滑車が移動して前記布部材支持紐部材が前記動滑車に巻き掛けられる位置が移動することを特徴とする請求項１記載の巻き取り式タープ。
【請求項３】
前記動滑車が前記他の一対の支柱の間に配設され、前記動滑車支持紐部材が前記他の一対の支柱のうちの一方の支柱に設けられる変向機構に支持され、前記布部材支持紐部材が前記他の一対の支柱のうちの他方の支柱に設けられる変向機構に支持され、前記布部材が前記軸部材に巻き付けられるときに前記動滑車が前記軸部材に向かって移動し、一方で、前記布部材が前記軸部材から送り出されるときに前記動滑車が前記他の一対の支柱のうちの前記一方の支柱に向かって移動することを特徴とする請求項２記載の巻き取り式タープ。
【請求項４】
前記動滑車が前記一対の支柱の間に配設され、前記布部材支持紐部材が前記他の一対の支柱のそれぞれに設けられる変向機構に支持されると共に前記一対の支柱のうちの一方の支柱に設けられる変向機構に支持され、前記布部材が前記軸部材に巻き付けられるときに前記動滑車が前記一対の支柱のうちの前記一方の支柱に向かって移動し、一方で、前記布部材が前記軸部材から送り出されるときに前記動滑車が前記一対の支柱のうちの他方の支柱に向かって移動することを特徴とする請求項２記載の巻き取り式タープ。
【請求項５】
前記軸部材の一部分を前記紐部材巻取機構として利用することを特徴とする請求項３または４記載の巻き取り式タープ。
【請求項６】
ギヤの噛み合わせ若しくは回転軸の変向機構によって前記軸部材の軸回転と連動するドラムを前記紐部材巻取機構として設けることを特徴とする請求項３または４記載の巻き取り式タープ。
【請求項７】
前記紐部材巻取機構において、前記動滑車支持紐部材が巻き付けられる部分が、前記動滑車支持紐部材が巻き取られる向きに常時付勢されることを特徴とする請求項２記載の巻き取り式タープ。
【発明の詳細な説明】
【技術分野】
【０００１】
本発明は、巻き取り式タープに関する。さらに詳述すると、本発明は、日よけや雨よけのための、固定型の比較的大きなタープに適用されて好適な仕組みに関する。
【背景技術】
【０００２】
日よけや雨よけのための従来の構造物としては、例えば、図１２に示すように、四本の支柱１０１と、これら支柱１０１間に架け渡されるＸフレームのユニット１０２と、屋根幕１０３とを有するテントがある（特許文献１）。
【先行技術文献】
【特許文献】
【０００３】
【特許文献１】特開２００５−００２６９９号
【発明の概要】
【発明が解決しようとする課題】
【０００４】
しかしながら、特許文献１のテントは、支柱１０１の頂点及びＸフレームのユニット１０２の複数箇所において屋根幕１０３を例えば紐で取り付けるようにしており、このため、屋根幕１０３を支柱１０１及びＸフレーム１０２に取り付けたり支柱１０１及びＸフレーム１０２から取り外したりするたびに多大な手間がかかり、特に、急な強風の際に屋根幕１０３を迅速に取り外すことができず、屋根幕１０３が風で飛ばされてしまう危険性があったり支柱１０１やＸフレームのユニット１０２が破損してしまう虞があったりするという問題がある。このため、利便性や安全性が高いとは言い難い。
【０００５】
そこで、本発明は、布部材を簡便に且つ迅速に開いた状態にしたり閉じた状態にしたりすることができる巻き取り式タープを提供することを目的とする。
【課題を解決するための手段】
【０００６】
かかる目的を達成するため、本発明の巻き取り式タープは、一対の支柱と、当該一対の支柱の間に軸回転可能に架設される軸部材と、当該軸部材を跨いで配置される他の一対の支柱と、軸部材に取り付けられると共に他の一対の支柱に向かって張られる部分が布部材支持紐部材を介して他の一対の支柱に支持される布部材とを備え、軸部材が軸回転することによって布部材が軸部材に巻き付けられたり軸部材から送り出されたりするようにしている。
【０００７】
また、本発明の巻き取り式タープは、軸部材の軸回転と連動する紐部材巻取機構と、布部材支持紐部材が巻き掛けられる動滑車と、一端が紐部材巻取機構に巻き付き可能に取り付けられると共に他端が動滑車に取り付けられる動滑車支持紐部材とを更に備え、軸部材が軸回転することによって布部材が軸部材に巻き付けられるときに、軸部材の軸回転と連動して紐部材巻取機構から動滑車支持紐部材が送り出され、布部材を支持する布部材支持紐部材の端部が布部材の巻き付きに伴って軸部材に引き寄せられることに合わせて動滑車が移動して布部材支持紐部材が動滑車に巻き掛けられる位置が移動し、また、軸部材が軸回転することによって布部材が軸部材から送り出されるときに、軸部材の軸回転と連動して紐部材巻取機構に動滑車支持紐部材が巻き付けられ、布部材を支持する布部材支持紐部材の端部が布部材の送り出しに伴って軸部材から離れることに合わせて動滑車が移動して布部材支持紐部材が動滑車に巻き掛けられる位置が移動するようにしても良い。
【０００８】
本発明の巻き取り式タープは、また、動滑車が他の一対の支柱の間に配設され、動滑車支持紐部材が他の一対の支柱のうちの一方の支柱に設けられる変向機構に支持され、布部材支持紐部材が他の一対の支柱のうちの他方の支柱に設けられる変向機構に支持され、布部材が軸部材に巻き付けられるときに動滑車が軸部材に向かって移動し、一方で、布部材が軸部材から送り出されるときに動滑車が他の一対の支柱のうちの一方の支柱に向かって移動するようにしても良い。
【０００９】
本発明の巻き取り式タープは、或いは、動滑車が一対の支柱の間に配設され、布部材支持紐部材が他の一対の支柱のそれぞれに設けられる変向機構に支持されると共に一対の支柱のうちの一方の支柱に設けられる変向機構に支持され、布部材が軸部材に巻き付けられるときに動滑車が一対の支柱のうちの一方の支柱に向かって移動し、一方で、布部材が軸部材から送り出されるときに動滑車が一対の支柱のうちの他方の支柱に向かって移動するようにしても良い。
【００１０】
したがって、これらの巻き取り式タープによると、軸部材が軸回転することによって布部材が軸部材に巻き付けられたり軸部材から送り出されたりするようにしているので、布部材が開かれた状態と閉じられた状態との切り替え（言い換えると、布部材の張設や巻き取り）が簡便に且つ迅速に行われる。
【００１１】
この巻き取り式タープによると、また、主要な構成としては支柱と軸部材のみで布部材を開いたり閉じたりする構造が実現される。
【００１２】
また、本発明の巻き取り式タープは、軸部材の一部分を紐部材巻取機構として利用するようにしても良い。
【００１３】
本発明の巻き取り式タープは、また、ギヤの噛み合わせ若しくは回転軸の変向機構によって軸部材の軸回転と連動するドラムを紐部材巻取機構として設けるようにしても良い。
【００１４】
また、本発明の巻き取り式タープは、紐部材巻取機構において、動滑車支持紐部材が巻き付けられる部分が、動滑車支持紐部材が巻き取られる向きに常時付勢されるようにしても良い。この場合には、紐部材巻取機構が動滑車支持紐部材を巻き取る作動力が調整されて動滑車支持紐部材の張り具合が一定に保たれる。
【発明の効果】
【００１５】
本発明の巻き取り式タープによれば、布部材が開かれた状態と閉じられた状態との切り替えを簡便に且つ迅速に行うことができるので、布部材の開閉状態の切り替えのたび毎の手間を軽減することができると共に、特に、急な雨の際に布部材を迅速に張設して雨避けの場所を提供することができ、また、強風の際に布部材を迅速に巻き取ってタープが風で飛ばされたり破損したりすることを防ぐことができ、利便性や安全性の向上が可能になる。
【００１６】
また、本発明の巻き取り式タープは、布部材の開閉のための主要な構成としては支柱と軸部材のみであると共に布部材を支持する紐部材を細く目立たないようにすることができるので、開閉可能な上屋を提供しつつも設置空間の開放感を損なうことが無く、良好な空間環境を創出することが可能になる。
【００１７】
また、本発明の巻き取り式タープは、紐部材巻取機構の動滑車支持紐部材が巻き取られる部分が常時付勢されるようにしても良く、この場合には、動滑車支持紐部材の張り具合を一定に保つことができるので、布部材支持紐部材の張り具合を一定に保って布部材を弛むことなく張った状態に保つことが可能になる。
【図面の簡単な説明】
【００１８】
【図１】本発明の巻き取り式タープの第一の実施形態を示す斜視図で、布部材が開かれた状態を示す。
【図２】本発明の巻き取り式タープの第一の実施形態を示す斜視図で、布部材が閉じられた状態を示す。
【図３】第一の実施形態における第二の支柱と動滑車と動滑車支持紐部材と布部材支持紐部材とに纏わる構造の一例を示す図である。
【図４】第一の実施形態における第三の支柱と紐部材巻取機構としての軸部材の端部軸と動滑車支持紐部材とに纏わる構造の一例を示す図である。
【図５】第一の実施形態における第四の支柱と布部材支持紐部材とに纏わる構造の一例を示す図である。
【図６】本発明の巻き取り式タープの第二の実施形態を示す斜視図で、布部材が開かれた状態を示す。
【図７】本発明の巻き取り式タープの第二の実施形態を示す斜視図で、布部材が閉じられた状態を示す。
【図８】第二の実施形態における第一の支柱と布部材支持紐部材とに纏わる構造の一例を示す図である。
【図９】第二の実施形態における第二の支柱と布部材支持紐部材とに纏わる構造の一例を示す図である。
【図１０】第二の実施形態における第三の支柱と動滑車と動滑車支持紐部材と布部材支持紐部材とに纏わる構造の一例を示す図である。
【図１１】第二の実施形態における第四の支柱と布部材支持紐部材とに纏わる構造の一例を示す図である。
【図１２】従来のテントを示す斜視図である。
【発明を実施するための形態】
【００１９】
以下、本発明の構成を図面に示す実施の形態の一例に基づいて詳細に説明する。
【００２０】
図１から図１１に、本発明の巻き取り式タープの実施形態の例を示す。なお、図１乃至図１１は、本発明の構成を説明するためのあくまでも概略構造図であり、各部の構造は簡略化してあって厳密な構造を示すものではなく、また、各部の寸法関係は厳密なものではない。
【００２１】
本発明の巻き取り式タープは、一対の支柱４Ａ，４Ｃと、当該一対の支柱４Ａ，４Ｃの間に軸回転可能に架設される軸部材２と、当該軸部材２を跨いで配置される他の一対の支柱４Ｂ，４Ｄと、軸部材２に取り付けられると共に他の一対の支柱４Ｂ，４Ｄに向かって張られる部分が布部材支持紐部材７を介して他の一対の支柱４Ｂ，４Ｄに支持される布部材１Ａ，１Ｂとを備え、軸部材２が軸回転することによって布部材１Ａ，１Ｂが軸部材２に巻き付けられたり軸部材２から送り出されたりするものである。
【００２２】
本発明の巻き取り式タープは、また、軸部材２の軸回転と連動する紐部材巻取機構(２ｃ，１１)と、布部材支持紐部材７が巻き掛けられる動滑車５と、一端が紐部材巻取機構(２ｃ，１１)に巻き付き可能に取り付けられると共に他端が動滑車５に取り付けられる動滑車支持紐部材６とを更に備え、軸部材２が軸回転することによって布部材１Ａ，１Ｂが軸部材２に巻き付けられるときに、軸部材２の軸回転と連動して紐部材巻取機構(２ｃ，１１)から動滑車支持紐部材６が送り出され、布部材１Ａ，１Ｂを支持する布部材支持紐部材７の端部が布部材１Ａ，１Ｂの巻き付きに伴って軸部材２に引き寄せられることに合わせて動滑車５が移動して布部材支持紐部材７が動滑車５に巻き掛けられる位置が移動し、また、軸部材２が軸回転することによって布部材１Ａ，１Ｂが軸部材２から送り出されるときに、軸部材２の軸回転と連動して紐部材巻取機構(２ｃ，１１)に動滑車支持紐部材６が巻き付けられ、布部材１Ａ，１Ｂを支持する布部材支持紐部材７の端部が布部材１Ａ，１Ｂの送り出しに伴って軸部材２から離れることに合わせて動滑車５が移動して布部材支持紐部材７が動滑車５に巻き掛けられる位置が移動するものである。
【００２３】
（１）第一の実施形態
図１から図５に、本発明の巻き取り式タープの第一の実施形態を示す。本実施形態の巻き取り式タープは、動滑車５が他の一対の支柱４Ｂ，４Ｄの間に配設され、動滑車支持紐部材６が他の一対の支柱４Ｂ，４Ｄのうちの一方の支柱４Ｂに設けられる変向機構８Ｂに支持され、布部材支持紐部材７が他の一対の支柱４Ｂ，４Ｄのうちの他方の支柱４Ｄに設けられる変向機構８Ｄに支持され、軸部材２が軸回転することによって布部材１Ａ，１Ｂが軸部材２に巻き付けられるときに動滑車５が軸部材２に向かって移動し、一方で、軸部材２が軸回転することによって布部材１Ａ，１Ｂが軸部材２から送り出されるときに動滑車５が他の一対の支柱４Ｂ，４Ｄのうちの一方の支柱４Ｂに向かって移動するようにしている。
【００２４】
本実施形態では、四本の支柱が、平面視において正方形の各頂点位置に配置される。ここでの説明では、これらの支柱について、或る支柱（図１においては右奥の支柱）から時計回りに順に第一の支柱４Ａ，第二の支柱４Ｂ，第三の支柱４Ｃ，第四の支柱４Ｄとする。すなわち、第一の支柱４Ａと第二の支柱４Ｂとが隣り合い、且つ、第一の支柱４Ａと第三の支柱４Ｃとが対向すると共に第二の支柱４Ｂと第四の支柱４Ｄとが対向する。
【００２５】
各支柱４Ａ，４Ｂ，４Ｃ，４Ｄの下端部に、各支柱４Ａ，４Ｂ，４Ｃ，４Ｄの設置の安定性を高めるため、径方向に拡がる基礎部４ａが設けられる。そして、この基礎部４ａがコンクリート床などの設置面に固定されたりコンクリート床などの設置床に埋設されたりすることにより、各支柱４Ａ，４Ｂ，４Ｃ，４Ｄが自立するように設置される。なお、支柱の傾倒を防ぐため、想定される傾倒の向きと反対側の設置面にアンカーされたロープを張るようにしても良い。
【００２６】
各支柱４Ａ，４Ｂ，４Ｃ，４Ｄは、軸心方向が、鉛直方向に沿うように設置されても良いし、鉛直方向に対していずれかの方向に傾斜するように設置されても良い。鉛直方向に対して傾斜するように設置される場合には、例えば、各支柱に作用する外力に対して効率的に対抗することができるように、対向する支柱に対して後傾する（具体的には例えば第一の支柱４Ａが第三の支柱４Ｃに対して後傾する）ように設置されることが考えられる。
【００２７】
第二の支柱４Ｂ，第三の支柱４Ｃ，第四の支柱４Ｄそれぞれの上端部に、変向機構として、定滑車８Ｂ，８Ｃ，８Ｄが設けられる。なお、図に示す例では定滑車８Ｂ，８Ｃ，８Ｄはいずれも滑車の策輪回転軸の軸心方向が鉛直になると共に策輪の径方向が水平になるように配置された水平定滑車であるが、第四の支柱４Ｄ上端部の定滑車８Ｄは滑車の策輪回転軸の軸心方向が水平になると共に策輪の径方向が鉛直になるように配置された垂直定滑車でも良い。
【００２８】
なお、変向機構は、動滑車支持紐部材６や布部材支持紐部材７の運動の方向を変え得るものであれば滑車に限定されるものではなく、どのような仕組みでも良い。具体的には例えば、動滑車支持紐部材６や布部材支持紐部材７が接触して摺動する滑周面を有する円柱状のガイド軸でも良い。
【００２９】
ここで、第二の支柱４Ｂ，第三の支柱４Ｃ，第四の支柱４Ｄそれぞれの上端部に設けられる変向機構は、同一の若しくは概ね同一の高さであって、且つ、第一及び第二の布部材１Ａ，１Ｂ並びに軸部材２の上方位置に設けられる。
【００３０】
第一の支柱４Ａと第三の支柱４Ｃとの間に、軸部材２が架け渡されて設けられる。
【００３１】
軸部材２は、ドラム部２ａと当該ドラム部２ａの両端のそれぞれから突出する端部軸２ｂ，２ｃとを有し、一方の端部軸２ｂが第一の支柱４Ａに支持されると共に他方の端部軸２ｃが第三の支柱４Ｃに支持される。
【００３２】
軸部材２のドラム部２ａと両端の端部軸２ｂ，２ｃとは相互に固定され、一方の端部軸２ｂが軸回転することによってドラム部２ａ及び他方の端部軸２ｃも軸回転する。
【００３３】
軸部材２の、第一の支柱４Ａ側に突出する端部軸２ｂは、第一の支柱４Ａと対向する第三の支柱４Ｃに向けて第一の支柱４Ａに固定されて取り付けられる駆動部３を介して第一の支柱４Ａに支持される。
【００３４】
駆動部３は、端部軸２ｂを支持しつつ、当該端部軸２ｂ（並びにドラム部２ａ及び第三の支柱４Ｃ側の端部軸２ｃ）を一方の向きに軸回転させる状態と他方の向きに軸回転させる状態と軸回転させること無く静止させた状態とを制御する機構である。
【００３５】
駆動部３は、手動でも電動でも良く、或いは、手動と電動とが一体になっていて切り替えられるものでも良い。駆動部３は、また、必要に応じ、端部軸２ｂが軸回転しないようにロックする仕組みを備えるようにしても良い。
【００３６】
駆動部３による端部軸２ｂの軸回転のさせ方（言い換えると、軸回転駆動の仕組み）は、特定のものに限定されるものではなく、巻き取り式タープの設置場所や使用態様などを踏まえて適当なものが適宜選択される。あくまで一例として挙げると、電動式のものであればソムフィ株式会社製・標準チューブラモータが、また、手動式のものであれば株式会社ヤマテン製・メルシーギアが用いられ得る。
【００３７】
駆動部３が電動式若しくは手動・電動一体型の場合には、図示していないが、駆動部３を作動させるための動作切替スイッチが第一の支柱４Ａの側周面に取り付けられたり、動作切替スイッチを有する電波リモコンが備えられたりする。
【００３８】
また、駆動部３が手動式の場合には、図示していないが、駆動部３を操作する際に用いられるフック棒の先端を係合させるための係合部、或いはチェーンなどが設けられる。
【００３９】
軸部材２の、第三の支柱４Ｃ側に突出する端部軸２ｃは、第三の支柱４Ｃに固定されて取り付けられる支持部を介して第三の支柱４Ｃに軸回転可能に支持される。
【００４０】
軸部材２に、布部材が取り付けられる。本実施形態では、三角形に形成された二枚の布部材（以下、第一の布部材１Ａ，第二の布部材１Ｂと呼ぶ）が軸部材２に取り付けられる。
【００４１】
第一及び第二の布部材１Ａ，１Ｂの素材は、開かれた状態において破れない強度を有すると共に巻き付けられるに十分な柔軟性を有するものであれば、特定のものに限定されるものではなく、巻き取り式タープの設置場所や設置目的などを踏まえて適当なものが適宜選択される。具体的には例えばポリエステル製やアクリル製や塩化ビニール製のキャンバス地などが用いられ得る。
【００４２】
三角形状の第一の布部材１Ａは、三角形のうちの一辺（以下、帯状端部１Ａａという）が軸部材２の軸心方向に沿ってドラム部２ａに取り付けられ、この帯状端部１Ａａと対向する角部（以下、支柱側角部１Ａｂという）が布部材支持紐部材７と動滑車５及び動滑車支持紐部材６とを介して軸部材２よりも第二の支柱４Ｂ寄りの位置において支持される。
【００４３】
三角形状の第二の布部材１Ｂは、三角形のうちの一辺（以下、帯状端部１Ｂａという）が軸部材２の軸心方向に沿ってドラム部２ａに取り付けられ、この帯状端部１Ｂａと対向する角部（以下、支柱側角部１Ｂｂという）が布部材支持紐部材７と動滑車５及び動滑車支持紐部材６とを介して軸部材２よりも第四の支柱４Ｄ寄りの位置において支持される。
【００４４】
第一の布部材１Ａの帯状端部１Ａａと第二の布部材１Ｂの帯状端部１Ｂａとは、軸部材２のドラム部２ａ周面の、径方向において対向する位置に取り付けられる。すなわち、図１に示す状態では第一の布部材１Ａの帯状端部１Ａａがドラム部２ａ周面の上端に当該ドラム部２ａの軸心方向に沿って取り付けられると共に第二の布部材１Ｂの帯状端部１Ｂａがドラム部２ａ周面の下端に当該ドラム部２ａの軸心方向に沿って取り付けられる、のように、軸部材２のドラム部２ａ周面の、径方向において対向する位置に取り付けられる。
【００４５】
そして、これら第一の布部材１Ａと第二の布部材１Ｂとは、軸部材２が軸回転することにより、軸部材２のドラム部２ａに巻き付けられたり巻き回しが解かれたり（言い換えると、送り出されたり）する。
【００４６】
動滑車５は、第二の支柱４Ｂと第四の支柱４Ｄとの間に配設され、策輪回転軸を支持するブラケットに動滑車支持紐部材６の一端が取り付けられると共に、策輪に布部材支持紐部材７が巻き掛けられる。
【００４７】
動滑車支持紐部材６は、一方の端部が動滑車５のブラケットに取り付けられると共に、第二の支柱４Ｂ上端の定滑車８Ｂ及び第三の支柱４Ｃ上端の定滑車８Ｃに巻き掛けられ（言い換えると、これら滑車によって方向が案内されて）、他方の端部が紐部材巻取機構に取り付けられる（図１，図３，図４）。なお、動滑車支持紐部材６は、具体的には例えばワイヤロープや繊維ロープ等の種々のロープである。
【００４８】
動滑車支持紐部材６は、第一の布部材１Ａ及び第二の布部材１Ｂが開かれた状態（以下、布部材張設状態という）において、紐部材巻取機構に所定の長さ（具体的には、第一の布部材１Ａの帯状端部１Ａａから支柱側角部１Ａｂまでの寸法と第二の布部材１Ｂの帯状端部１Ｂａから支柱側角部１Ｂｂまでの寸法とのうちの小さい方に概ね相当する長さ）だけ巻き付けられた上で取り付けられる。
【００４９】
紐部材巻取機構は、軸部材２の軸回転と連動して（言い換えると、第一及び第二の布部材１Ａ，１Ｂの軸部材２への巻き付けや軸部材２からの送り出しと連動して）動滑車支持紐部材６を巻き付けたり送り出したりするものである。
【００５０】
本実施形態では、軸部材２の軸回転と連動する紐部材巻取機構として、軸部材２のドラム部２ａ端部から第三の支柱４Ｃ側に突出する端部軸２ｃを利用する。具体的には、端部軸２ｃに動滑車支持紐部材６を巻き付けるようにする。なお、端部軸２ｃに限らず、軸部材２のいずれかの一部分を軸部材２の軸回転と連動する紐部材巻取機構として利用するようにしても良い。
【００５１】
ここで、第一及び第二の布部材１Ａ，１Ｂの巻き取りや送り出しと連動させて動滑車５を適切に移動させて各部材に弛みが生じたり必要以上の引っ張り力が働いたりしないようにするため、布部材１Ａ，１Ｂの巻き取りや送り出しの量と動滑車支持紐部材６の巻き取りや送り出しの量とが同じになるように、軸部材２のドラム部２ａの直径と端部軸２ｃの直径との間の寸法関係などが調整される。
【００５２】
なお、第一及び第二の布部材１Ａ，１Ｂの巻き取りに伴ってこれら布部材１Ａ，１Ｂが巻き付くドラム部２ａ部分の径が次第に大きくなって一回転当たりの巻き取り量が漸増したり、布部材１Ａ，１Ｂの送り出しに伴ってこれら布部材１Ａ，１Ｂの巻き付きが解かれるドラム部２ａ部分の径が次第に小さくなって一回転当たりの送り出し量が漸減したりするので、この巻き取り量や送り出し量の変化に適合させるように端部軸２ｃの径を軸心方向において変化させると共に動滑車支持紐部材６の巻き付けの場所をずらしていくようにすることが好ましい。
【００５３】
また、軸部材２の端部軸２ｃは、軸回転の作動力を調整して動滑車支持紐部材６の張り具合を一定に保つため、延いては布部材支持紐部材７の張り具合を一定に保って布部材１Ａ，１Ｂを弛むことなく張った状態に保つために、第三の支柱４Ｃの支持部と端部軸２ｃとの間に介在するばねなどによって動滑車支持紐部材６を巻き取る向きに常時付勢されるようにしても良い。
【００５４】
本実施形態では、動滑車支持紐部材６を第三の支柱４Ｃ上端の定滑車８Ｃから当該定滑車８Ｃよりも下方に位置する軸部材２の端部軸２ｃまで案内するために、これらの間に、動滑車支持紐部材６が接触して摺動する滑周面を有して軸心方向が水平になるように配置された円柱状のガイド軸１２が、軸部材２の端部軸２ｃを支持するための第三の支柱４Ｃの支持部に取り付けられて設けられる（図４）。
【００５５】
動滑車支持紐部材６の端部軸２ｃへの巻き回しの向きは、軸部材２のドラム部２ａに巻き付けられている第一の布部材１Ａと第二の布部材１Ｂとの巻き回しが解かれる（言い換えると、第一及び第二の布部材１Ａ，１Ｂが送り出される）ときに動滑車支持紐部材６が端部軸２ｃに巻き付けられ、第一の布部材１Ａと第二の布部材１Ｂとが軸部材２のドラム部２ａに巻き付けられるときに動滑車支持紐部材６の端部軸２ｃへの巻き回しが解かれる（言い換えると、動滑車支持紐部材６が送り出される）向きに設定される。
【００５６】
布部材支持紐部材７は、一方の端部が第一の布部材１Ａの支柱側角部１Ａｂに取り付けられると共に、動滑車５及び第四の支柱４Ｄ上端の定滑車８Ｄに巻き掛けられて（言い換えると、これら滑車によって方向が案内されて）、他方の端部が第二の布部材１Ｂの支柱側角部１Ｂｂに取り付けられる（図１，図３，図５）。なお、布部材支持紐部材７は、具体的には例えばワイヤロープや繊維ロープ等の種々のロープである。
【００５７】
布部材支持紐部材７は、第二の支柱４Ｂと第四の支柱４Ｄとの間において、第一及び第二の布部材１Ａ，１Ｂ並びに軸部材２の上方に配設される。
【００５８】
本実施形態では、布部材支持紐部材７を第四の支柱４Ｄ上端の定滑車８Ｄから当該定滑車８Ｄよりも下方に位置する第二の布部材１Ｂの支柱側角部１Ｂｂまで案内するために、これらの間に、布部材支持紐部材７が接触して摺動する滑周面を有して軸心方向が水平になるように上下に配置された二本の円柱状のガイド軸１３Ａ，１３Ｂが、第四の支柱４Ｄの上端寄りの部分（言い換えると、定滑車８Ｄの下方）に取り付けられて設けられる。これにより、定滑車８Ｄに水平方向に巻き掛けられた布部材支持紐部材７が上側のガイド軸１３Ａによって上下方向に変更させられ、さらに、下側のガイド軸１３Ｂによって第二の支柱４Ｂとの対向方向において水平方向に変更させられる（図５）。
【００５９】
なお、両端部において第一及び第二の布部材１Ａ，１Ｂを支持する布部材支持紐部材７が動滑車５に巻き掛けられることにより（言い換えると、第一及び第二の布部材１Ａ，１Ｂを支持する布部材支持紐部材７の両端部の間に動滑車５が介在させられることにより）、第一の布部材１Ａと第二の布部材１Ｂとに同じ引っ張り力が常に与えられながら第一及び第二の布部材１Ａ，１Ｂが巻き取られたり送り出されたりする。このように同じ引っ張り力が常に与えられることにより、両布部材１Ａ，１Ｂが、皺が寄ることなくきれいに巻き取られ、また、弛むことなく張った状態で送り出される。
【００６０】
上述した巻き取り式タープの第一の実施形態の動作について、まず、布部材張設状態（図１）から第一の布部材１Ａ及び第二の布部材１Ｂが閉じられた状態（以下、布部材巻取状態という；図２）になる場合を以下に説明する。
【００６１】
布部材張設状態（図１）から、軸部材２が駆動部３によって所定の向きに軸回転（具体的には、軸部材２のドラム部２ａに第一及び第二の布部材１Ａ，１Ｂが巻き付けられる向きであり、且つ、軸部材２の端部軸２ｃに巻き付けられている動滑車支持紐部材６の巻き回しが解かれる向きに軸回転）させられることによって第一及び第二の布部材１Ａ，１Ｂが軸部材２のドラム部２ａに巻き取られ、これによって第一の布部材１Ａの支柱側角部１Ａｂと第二の布部材１Ｂの支柱側角部１Ｂｂとが第二の支柱４Ｂや第四の支柱４Ｄ寄りの位置から軸部材２に向かって移動する。
【００６２】
同時に、軸部材２の軸回転により、端部軸２ｃに巻き付けられている動滑車支持紐部材６が送り出される。
【００６３】
そして、動滑車５及び第四の支柱４Ｄ上端の定滑車８Ｄに巻き掛けられて第一の布部材１Ａの支柱側角部１Ａｂと第二の布部材１Ｂの支柱側角部１Ｂｂとを連結する布部材支持紐部材７の両端部が軸部材２に向かって移動する。
【００６４】
このとき、第四の支柱４Ｄ上端の定滑車８Ｄは動かない一方で、動滑車５は、端部軸２ｃから送り出され且つ第三の支柱４Ｃ上端の定滑車８Ｃ及び第二の支柱４Ｂ上端の定滑車８Ｂに巻き掛けられて一端が取り付けられている動滑車支持紐部材６を引きながら第一の布部材１Ａの支柱側角部１Ａｂと共に軸部材２に向かって移動する。
【００６５】
上述の動作により、第一の布部材１Ａの支柱側角部１Ａｂと第二の布部材１Ｂの支柱側角部１Ｂｂとが第二の支柱４Ｂや第四の支柱４Ｄ寄りの位置から軸部材２寄りの位置に移動し、布部材巻取状態（図２）になる。
【００６６】
上述した巻き取り式タープの第一の実施形態の動作について、次に、布部材巻取状態（図２）から布部材張設状態（図１）になる場合を以下に説明する。
【００６７】
布部材巻取状態（図２）から、軸部材２が駆動部３によって所定の向きに軸回転（具体的には、軸部材２のドラム部２ａに巻き付けられている第一及び第二の布部材１Ａ，１Ｂの巻き回しが解かれる向きであり、且つ、軸部材２の端部軸２ｃに動滑車支持紐部材６が巻き付けられる向きに軸回転）させられることによって第一及び第二の布部材１Ａ，１Ｂが軸部材２のドラム部２ａから送り出され、これによって第一の布部材１Ａの支柱側角部１Ａｂと第二の布部材１Ｂの支柱側角部１Ｂｂとが軸部材２寄りの位置から第二の支柱４Ｂや第四の支柱４Ｄに向かって移動する。
【００６８】
同時に、軸部材２の軸回転により、動滑車支持紐部材６が軸部材２の端部軸２ｃに巻き付けられる。
【００６９】
そして、第三の支柱４Ｃ上端の定滑車８Ｃ及び第二の支柱４Ｂ上端の定滑車８Ｂを経由して動滑車支持紐部材６が引かれて動滑車５が第二の支柱４Ｂに向かって移動し、また、動滑車５が移動することによって第四の支柱４Ｄ上端の定滑車８Ｄも介して布部材支持紐部材７の両端部と共に第一の布部材１Ａの支柱側角部１Ａｂと第二の布部材１Ｂの支柱側角部１Ｂｂとが第二の支柱４Ｂや第四の支柱４Ｄに向かって移動する。
【００７０】
上述の動作により、第一の布部材１Ａの支柱側角部１Ａｂと第二の布部材１Ｂの支柱側角部１Ｂｂとが軸部材２寄りの位置から第二の支柱４Ｂや第四の支柱４Ｄ寄りの位置に移動し、布部材張設状態（図１）になる。
【００７１】
以上のように構成された巻き取り式タープによれば、軸部材２が軸回転することによって第一及び第二の布部材１Ａ，１Ｂが軸部材２に巻き付けられたり軸部材２から送り出されたりするようにしているので、第一及び第二の布部材１Ａ，１Ｂが開かれた状態と閉じられた状態との切り替えを簡便に且つ迅速に行うことができる。
【００７２】
以上のように構成された巻き取り式タープによれば、また、主には第一乃至第四の支柱４Ａ，４Ｂ，４Ｃ，４Ｄと軸部材２のみで第一及び第二の布部材１Ａ，１Ｂを同時に開いたり閉じたりする構造を実現するようにしているので、開閉可能な上屋を提供しつつも設置空間の開放感を損なうことが無く、良好な空間環境を創出することができる。
【００７３】
また、上述の第一の実施形態の巻き取り式タープによれば、第一及び第二の布部材１Ａ，１Ｂが、軸部材２から、これら両布部材１Ａ，１Ｂを支持する第二の支柱４Ｂと第四の支柱４Ｄとに向けて水平若しくは概ね水平に張られるようにして、両布部材１Ａ，１Ｂが張られる全範囲に亙って所定の天井高を確保することができる。
【００７４】
（２）第二の実施形態
図６から図１１に、本発明の巻き取り式タープの第二の実施形態を示す。本実施形態の巻き取り式タープは、動滑車５が一対の支柱４Ａ，４Ｃの間に配設され、布部材支持紐部材７が他の一対の支柱４Ｂ，４Ｄのそれぞれに設けられる上下一対の変向機構１０Ｄａ，１０Ｄｂに支持されると共に一対の支柱４Ａ，４Ｃのうちの一方の支柱４Ａに設けられる一対の変向機構９Ａａ，９Ａｂに支持され、軸部材２が軸回転することによって布部材１Ａ，１Ｂが軸部材２に巻き付けられるときに動滑車５が一対の支柱４Ａ，４Ｃのうちの一方の支柱４Ａに向かって移動し、一方で、軸部材２が軸回転することによって布部材１Ａ，１Ｂが軸部材２から送り出されるときに動滑車５が一対の支柱４Ａ，４Ｃのうちの他方の支柱４Ｃに向かって移動するようにしている。
【００７５】
本実施形態でも四本の支柱が配置され、これら第一の支柱４Ａ，第二の支柱４Ｂ，第三の支柱４Ｃ，第四の支柱４Ｄの配置態様，支柱相互の位置関係，各支柱の構造などは、上述の第一の実施形態と同様である。
【００７６】
一方で、本実施形態では、第一の支柱４Ａの側周面に、一対の変向機構として、第一の支柱４Ａと対向する第三の支柱４Ｃに向けて張り出して一対の定滑車（以下、第一の定滑車９Ａａ，第二の定滑車９Ａｂという；本実施形態では、一対の策輪が水平に並べられると共にこれら策輪を支持する共通のブラケットを有する；なお、滑車の策輪回転軸の軸心方向が鉛直になると共に策輪の径方向が水平になるように配置された水平定滑車である）が設けられる。
【００７７】
なお、第一の支柱４Ａに設けられる変向機構は、布部材支持紐部材７の運動の方向を変え得るものであれば滑車に限定されるものではなく、どのような仕組みでも良い。具体的には例えば、布部材支持紐部材７が接触して摺動する滑周面を有する円柱状のガイド軸でも良い。
【００７８】
また、第二の支柱４Ｂの側周面に、上下一対の変向機構として、上下に離間して配置された一対の定滑車（以下、上側定滑車１０Ｂａ，下側定滑車１０Ｂｂという；なお、滑車の策輪回転軸の軸心方向が水平になると共に策輪の径方向が鉛直になるように配置された垂直定滑車である）が設けられると共に、第四の支柱４Ｄの側周面に、上下一対の変向機構として、上下に離間して配置された一対の定滑車（以下、上側定滑車１０Ｄａ，下側定滑車１０Ｄｂという；なお、滑車の策輪回転軸の軸心方向が水平になると共に策輪の径方向が鉛直になるように配置された垂直定滑車である）が設けられる。
【００７９】
本実施形態では、上下一対の変向機構１０Ｂａ，１０Ｂｂ及び１０Ｄａ，１０Ｄｂにより、第一及び第二の布部材１Ａ，１Ｂが、軸部材２から、これら両布部材１Ａ，１Ｂを支持する第二の支柱４Ｂと第四の支柱４Ｄとに向けて下向きに傾斜して張られる。
【００８０】
なお、第二の支柱４Ｂや第四の支柱４Ｄに設けられる変向機構は、布部材支持紐部材７の運動の方向を変え得るものであれば滑車に限定されるものではなく、どのような仕組みでも良い。具体的には例えば、布部材支持紐部材７が接触して摺動する滑周面を有する円柱状のガイド軸でも良い。
【００８１】
軸部材２の設置態様，構造なども上述の第一の実施形態と同様である。ただし、本実施形態では、軸部材２の端部軸２ｃに動滑車支持紐部材６は巻き付けられない。
【００８２】
駆動部３の設置態様，機能，構造なども上述の第一の実施形態と同様である。
【００８３】
本実施形態でも二枚の布部材が軸部材２に取り付けられ、これら第一の布部材１Ａ及び第二の布部材１Ｂの形状，素材の条件，軸部材２への取り付け態様や支持態様なども上述の第一の実施形態と同様である。
【００８４】
本実施形態では、動滑車５は、第一の支柱４Ａと第三の支柱４Ｃとの間に配設され、策輪回転軸を支持するブラケットに動滑車支持紐部材６の一端が取り付けられると共に、策輪に布部材支持紐部材７が巻き掛けられる。
【００８５】
動滑車支持紐部材６は、一方の端部が動滑車５のブラケットに取り付けられると共に、他方の端部が紐部材巻取機構に取り付けられる（図６，図１０）。なお、動滑車支持紐部材６は、具体的には例えばワイヤロープや繊維ロープ等の種々のロープである。
【００８６】
動滑車支持紐部材６は、第一の布部材１Ａ及び第二の布部材１Ｂが開かれた状態（布部材張設状態）において、紐部材巻取機構に所定の長さ（具体的には、第一の布部材１Ａの帯状端部１Ａａから支柱側角部１Ａｂまでの寸法と第二の布部材１Ｂの帯状端部１Ｂａから支柱側角部１Ｂｂまでの寸法とのうちの小さい方に概ね相当する長さ）だけ巻き付けられた上で取り付けられる。
【００８７】
紐部材巻取機構は、軸部材２の軸回転と連動して（言い換えると、第一及び第二の布部材１Ａ，１Ｂの軸部材２への巻き付けや軸部材２からの送り出しと連動して）動滑車支持紐部材６を巻き付けたり送り出したりするものである。
【００８８】
本実施形態では、軸部材２の軸回転と連動する紐部材巻取機構として、第三の支柱４Ｃの上端部に、ドラム１１が設けられる。
【００８９】
ここで、第一の支柱４Ａ側周面に取り付けられる第一の定滑車９Ａａ及び第二の定滑車９Ａｂと、第二の支柱４Ｂ側周面に取り付けられる上側定滑車１０Ｂａと、第四の支柱４Ｄ側周面に取り付けられる上側定滑車１０Ｄａと、第三の支柱４Ｃ上端に取り付けられるドラム１１とは、同一の若しくは概ね同一の高さであって、且つ、第一及び第二の布部材１Ａ，１Ｂ並びに軸部材２の上方位置に設けられる。
【００９０】
ドラム１１は、軸部材２の軸回転と連動して軸回転するように設けられる。軸部材２の軸回転とドラム１１の軸回転との連動の仕組みは、特定の仕組みに限定されるものではなく、例えば、軸部材２の端部軸２ｃとドラム１１の回転軸とのそれぞれに設けられたギヤの噛み合わせ（具体的にはベベルギヤなど）、或いは、軸部材２の端部軸２ｃとドラム１１の回転軸とを複数のユニバーサルジョイントやつる巻ばね等で連結することによる回転軸の変向機構などが用いられ得る。
【００９１】
ここで、第一及び第二の布部材１Ａ，１Ｂの巻き取りや送り出しと連動させて動滑車５を適切に移動させて各部材に弛みが生じたり必要以上の引っ張り力が働いたりしないようにするため、布部材１Ａ，１Ｂの巻き取りや送り出しの量と動滑車支持紐部材６の巻き取りや送り出しの量とが同じになるように、軸部材２のドラム部２ａの直径とドラム１１のドラム部の直径との間の寸法関係端などが調整される。
【００９２】
なお、第一及び第二の布部材１Ａ，１Ｂの巻き取りに伴ってこれら布部材１Ａ，１Ｂが巻き付くドラム部２ａ部分の径が次第に大きくなって一回転当たりの巻き取り量が漸増したり、布部材１Ａ，１Ｂの送り出しに伴ってこれら布部材１Ａ，１Ｂの巻き付きが解かれるドラム部２ａ部分の径が次第に小さくなって一回転当たりの送り出し量が漸減したりするので、この巻き取り量や送り出し量の変化に適合させるようにドラム部１１の径を軸心方向において変化させると共に動滑車支持紐部材６の巻き付けの場所をずらしていくようにすることが好ましい。
【００９３】
また、ドラム１１は、軸回転の作動力を調整して動滑車支持紐部材６の張り具合を一定に保つため、延いては布部材支持紐部材７の張り具合を一定に保って布部材１Ａ，１Ｂを弛むことなく張った状態に保つために、軸部材２の端部軸２ｃと連結される回転軸と動滑車支持紐部材６が巻き付けられるドラム部との間に介在するばねなどによって動滑車支持紐部材６を巻き取る向きに常時付勢されるようにしても良い。
【００９４】
動滑車支持紐部材６のドラム１１への巻き回しの向きは、軸部材２のドラム部２ａに巻き付けられている第一の布部材１Ａと第二の布部材１Ｂとの巻き回しが解かれる（言い換えると、第一及び第二の布部材１Ａ，１Ｂが送り出される）ときに動滑車支持紐部材６がドラム１１に巻き付けられ、第一の布部材１Ａと第二の布部材１Ｂとが軸部材２のドラム部２ａに巻き付けられるときに動滑車支持紐部材６のドラム１１への巻き回しが解かれる（言い換えると、動滑車支持紐部材６が送り出される）向きに設定される。
【００９５】
布部材支持紐部材７は、一方の端部が第一の布部材１Ａの支柱側角部１Ａｂに取り付けられると共に、第二の支柱４Ｂ側周面の下側定滑車１０Ｂｂ→第二の支柱４Ｂ側周面の上側定滑車１０Ｂａ→第一の支柱４Ａ側周面の第一の定滑車９Ａａ→動滑車５→第一の支柱４Ａ側周面の第二の定滑車９Ａｂ→第四の支柱４Ｄ側周面の上側定滑車１０Ｄａ→第四の支柱４Ｄ側周面の下側定滑車１０Ｄｂの順に巻き掛けられて（言い換えると、これら滑車によって方向が案内されて）、他方の端部が第二の布部材１Ｂの支柱側角部１Ｂｂに取り付けられる（図６，図８乃至図１１）。なお、布部材支持紐部材７は、具体的には例えばワイヤロープや繊維ロープ等の種々のロープである。
【００９６】
布部材支持紐部材７及び動滑車５は、第一の支柱４Ａと第三の支柱４Ｃとの間において、第一及び第二の布部材１Ａ，１Ｂ並びに軸部材２の上方に配設される。
【００９７】
なお、両端部において第一及び第二の布部材１Ａ，１Ｂを支持する布部材支持紐部材７が動滑車５に巻き掛けられることにより（言い換えると、第一及び第二の布部材１Ａ，１Ｂを支持する布部材支持紐部材７の両端部の間に動滑車５が介在させられることにより）、第一の布部材１Ａと第二の布部材１Ｂとに同じ引っ張り力が常に与えられながら第一及び第二の布部材１Ａ，１Ｂが巻き取られたり送り出されたりする。
【００９８】
上述した巻き取り式タープの第二の実施形態の動作について、まず、布部材張設状態（図６）から布部材巻取状態（図７）になる場合を以下に説明する。
【００９９】
布部材張設状態（図６）から、軸部材２が駆動部３によって所定の向きに軸回転（具体的には、軸部材２のドラム部２ａに第一及び第二の布部材１Ａ，１Ｂが巻き付けられる向きであり、且つ、軸部材２の軸回転と連動する第三の支柱４Ｃ上端のドラム１１に巻き付けられている動滑車支持紐部材６の巻き回しが解かれる向きに軸回転）させられることによって第一及び第二の布部材１Ａ，１Ｂが軸部材２のドラム部２ａに巻き取られ、これによって第一の布部材１Ａの支柱側角部１Ａｂと第二の布部材１Ｂの支柱側角部１Ｂｂとが第二の支柱４Ｂや第四の支柱４Ｄ寄りの位置から軸部材２に向かって移動する。
【０１００】
同時に、軸部材２の軸回転に連動してドラム１１が軸回転することにより、ドラム１１に巻き付けられている動滑車支持紐部材６が送り出される。
【０１０１】
そして、動滑車５及び複数の定滑車９Ａａ，９Ａｂ，１０Ｂａ，１０Ｂｂ，１０Ｄａ，１０Ｄｂに巻き掛けられて第一の布部材１Ａの支柱側角部１Ａｂと第二の布部材１Ｂの支柱側角部１Ｂｂとを連結する布部材支持紐部材７の両端部が軸部材２に向かって移動する。
【０１０２】
このとき、第一の支柱４Ａに取り付けられた第一及び第二の定滑車９Ａａ，９Ａｂは動かない一方で、動滑車５は、ドラム１１から送り出され且つ一端が取り付けられている動滑車支持紐部材６を引きながら第一の支柱４Ａに向かって移動する。
【０１０３】
上述の動作により、第一の布部材１Ａの支柱側角部１Ａｂと第二の布部材１Ｂの支柱側角部１Ｂｂとが第二の支柱４Ｂや第四の支柱４Ｄ寄りの位置から軸部材２寄りの位置に移動し、布部材巻取状態（図７）になる。
【０１０４】
上述した巻き取り式タープの第二の実施形態の動作について、次に、布部材巻取状態（図７）から布部材張設状態（図６）になる場合を以下に説明する。
【０１０５】
布部材巻取状態（図７）から、軸部材２が駆動部３によって所定の向きに軸回転（具体的には、軸部材２のドラム部２ａに巻き付けられている第一及び第二の布部材１Ａ，１Ｂの巻き回しが解かれる向きであり、且つ、第三の支柱４Ｃ上端のドラム１１に動滑車支持紐部材６が巻き付けられる向きに軸回転）させられることによって第一及び第二の布部材１Ａ，１Ｂが軸部材２のドラム部２ａから送り出され、これによって第一の布部材１Ａの支柱側角部１Ａｂと第二の布部材１Ｂの支柱側角部１Ｂｂとが軸部材２寄りの位置から第二の支柱４Ｂや第四の支柱４Ｄに向かって移動する。
【０１０６】
同時に、軸部材２の軸回転に連動してドラム１１が軸回転することにより、動滑車支持紐部材６がドラム１１に巻き付けられる。
【０１０７】
そして、動滑車支持紐部材６が引かれて動滑車５が第三の支柱４Ｃに向かって移動し、また、動滑車５が移動することによって複数の定滑車９Ａａ，９Ａｂ，１０Ｂａ，１０Ｂｂ，１０Ｄａ，１０Ｄｂも介して布部材支持紐部材７の両端部と共に第一の布部材１Ａの支柱側角部１Ａｂと第二の布部材１Ｂの支柱側角部１Ｂｂとが第二の支柱４Ｂや第四の支柱４Ｄに向かって移動する。
【０１０８】
上述の動作により、第一の布部材１Ａの支柱側角部１Ａｂと第二の布部材１Ｂの支柱側角部１Ｂｂとが軸部材２寄りの位置から第二の支柱４Ｂや第四の支柱４Ｄ寄りの位置に移動し、布部材張設状態（図６）になる。
【０１０９】
以上のように構成された巻き取り式タープによれば、軸部材２が軸回転することによって第一及び第二の布部材１Ａ，１Ｂが軸部材２に巻き付けられたり軸部材２から送り出されたりするようにしているので、第一及び第二の布部材１Ａ，１Ｂが開かれた状態と閉じられた状態との切り替えを簡便に且つ迅速に行うことができる。
【０１１０】
以上のように構成された巻き取り式タープによれば、また、主には第一乃至第四の支柱４Ａ，４Ｂ，４Ｃ，４Ｄと軸部材２のみで第一及び第二の布部材１Ａ，１Ｂを同時に開いたり閉じたりする構造を実現するようにしているので、開閉可能な上屋を提供しつつも設置空間の開放感を損なうことが無く、良好な空間環境を創出することができる。
【０１１１】
ここで、上述の第二の実施形態では上下一対の変向機構１０Ｂａ，１０Ｂｂ及び１０Ｄａ，１０Ｄｂが設けられて布部材１Ａ，１Ｂが傾斜して張られるようにしているが、第二の実施形態における布部材支持紐部材７の支持の仕方はこれに限られるものではなく、上下一対の変向機構１０Ｂａ，１０Ｂｂ及び１０Ｄａ，１０Ｄｂの代わりに、第一の実施形態と同様に第二の支柱４Ｂと第四の支柱４Ｄとのそれぞれの上端部に滑車の策輪回転軸の軸心方向が鉛直になると共に策輪の径方向が水平になるように配置された水平定滑車が設けられて布部材１Ａ，１Ｂが水平若しくは概ね水平に張られるようにしても良い。
【０１１２】
したがって、上述の第二の実施形態の巻き取り式タープによれば、第一及び第二の布部材１Ａ，１Ｂが水平若しくは概ね水平に張られるようにする態様と、第一及び第二の布部材１Ａ，１Ｂが傾斜して張られるようにする態様とのどちらもが可能であり、布部材１Ａ，１Ｂが水平若しくは概ね水平に張られる場合には布部材が張られる全範囲に亙って所定の天井高を確保することができ、一方、布部材１Ａ，１Ｂが傾斜して張られる場合には布部材に落下した雨滴や木の葉などを布部材上に留まらせることなく落下させることができ、設置場所や用途などに合わせて布部材の張られ方を選択することが可能であり、利便性や汎用性の向上が可能になる。
【０１１３】
なお、上述の形態は本発明を実施する際の好適な形態の一例ではあるものの本発明の実施の形態が上述のものに限定されるものではなく、本発明の要旨を逸脱しない範囲において本発明は種々変形実施可能である。例えば、上述の第一の実施形態及び第二の実施形態では平面視において正方形の各頂点位置に四本の支柱４Ａ，４Ｂ，４Ｃ，４Ｄが配置されるようにしているが、支柱相互の位置関係はこれに限られるものではなく、平面視において菱形やその他の多角形の各頂点位置に支柱が配置されるようにしても良い。すなわち、本発明では、対向する支柱同士を結ぶ線分が交差する位置関係であれば、言い換えると、一対の支柱を結ぶ線分を跨いで他の少なくとも一対の支柱が配置される位置関係であれば、更に言い換えると、一対の支柱の間に架設される軸部材を跨いで他の少なくとも一対の支柱が配置される位置関係であれば、支柱の配置はどのようなものであっても構わない。なお、支柱の配置に合わせて布部材の形状が設定される。
【０１１４】
また、上述の第一の実施形態及び第二の実施形態では三角形状の二枚の布部材１Ａ，１Ｂを用いるようにしているが、布部材の態様はこれに限られるものではなく、平面視において菱形やその他の多角形状の一枚の布部材を用いるようにしても良い。この場合も、多角形状の複数の対角線のうちの一の対角線を軸部材２の軸心方向に沿わせて当該対角線位置の帯状部分を軸部材２のドラム部２ａに取り付けることにより、他の構成は上述の実施形態と同様にして本発明の巻き取り式タープが構成され得る。
【０１１５】
また、軸部材２の軸回転と連動する紐部材巻取機構として、上述の第一の実施形態では軸部材２の一部分を利用するようにし、また、上述の第二の実施形態ではドラム１１を設けるようにしているが、紐部材巻取機構の仕組みと他の構成との組み合わせはこれに限られるものではなく、第一の実施形態の構成において軸部材２の一部分を利用する代わりに第三の支柱４Ｃの上端部にドラム１１を設けるようにしたり、第二の実施形態の構成においてドラム１１を設ける代わりに軸部材２の一部分を利用するようにしても良い。さらに言えば、紐部材巻取機構としての仕組みは上述の実施形態におけるものに限られるものではなく、軸部材２の軸回転と連動して動滑車支持紐部材６を巻き付けたり送り出したりするものであればどのようなものであっても構わない。
【符号の説明】
【０１１６】
１Ａ  第一の布部材
１Ｂ  第二の布部材
２    軸部材
３    駆動部
４Ａ  第一の支柱
４Ｂ  第二の支柱
４Ｃ  第三の支柱
４Ｄ  第四の支柱
５    動滑車
６    動滑車支持紐部材
７    布部材支持紐部材
【図１】
2015224452.tif 000003
【図２】
2015224452.tif 000004
【図３】
2015224452.tif 000005
【図４】
2015224452.tif 000006
【図５】
2015224452.tif 000007
【図６】
2015224452.tif 000008
【図７】
2015224452.tif 000009
【図８】
2015224452.tif 000010
【図９】
2015224452.tif 000011
【図１０】
2015224452.tif 000012
【図１１】
2015224452.tif 000013
【図１２】
2015224452.tif 000014